(57)【特許請求の範囲】
【請求項１】
本体ベースと、
該本体ベースに設置されたプリント基板と、
該プリント基板に立設された感熱素子と、
前記プリント基板に設置され、外光を遮断して煙粒子を流入する暗箱と、
前記プリント基板に設置された表示灯と、
前記感熱素子および前記暗箱が貫通する各開口部を具備し、前記本体ベースに接合される保護カバーと、
前記表示灯の発する光を前記保護カバーの外部に案内するライトガイドと、
を有し、
前記ライトガイドは棒状部分のみから形成され、前記保護カバーに形成された貫通孔を貫通して、該貫通孔内に設置されると共に、その一方の端面が前記表示灯に対峙し、その他方の端面が前記暗箱の突出高さと略同等またはそれ以上の高さで前記保護カバー外部に突出し、
さらに、前記ライトガイドは、前記暗箱を挟んで前記感熱素子と対向配置されていることを特徴とする熱煙複合型火災感知器。
【請求項２】
前記保護カバーが、前記暗箱が貫通するための開口部を中央に形成するカバー周面部と、前記開口部を覆うように前記カバー周面部から所定の距離だけ突出して配置されたカバー天面部と、該カバー天面部と前記カバー周面部とを連結する複数の脚部と、を具備し、
前記ライトガイドの他方の端面の前記カバー周面部からの突出量が、前記カバー天面部と略同一であることを特徴とする請求項１記載の熱煙複合型火災感知器。
【請求項３】
前記複数の脚部のうちの１の脚部は、前記貫通孔に連通して前記カバー周面部の上面に形成されて、前記ライトガイドが貫通する筒部を備えたことを特徴とする請求項２記載の熱煙複合型火災感知器。
【請求項４】
前記ライトガイドの端面に、略回転楕円状の凹部が形成されていることを特徴とする請求項１記載の熱煙複合型火災感知器。
【請求項５】
前記ライトガイドの一方の端面に近い側面には対向した一対の略矩形状のリブが形成されていることを特徴とする請求項１記載の熱煙複合型火災感知器。
【発明の詳細な説明】
【技術分野】
【０００１】
本発明は熱煙複合型火災感知器に関する。
【背景技術】
【０００２】
従来、熱煙複合型火災感知器は、通常、屋内等の天井に設置されるものであって、空気温度を検出する温度検出手段と、空気中の煙を検出する煙検出手段と、これらの検出結果に基づいて火災の発生を判断する判断手段と、を有している。さらに、熱煙複合型火災感知器が正常な作動状態にあることを知らせるために点滅したり、火災の発生を検出したのが当該熱煙複合型火災感知器であること知らせるために点灯する「表示灯」を有している。
【０００３】
熱煙複合型火災感知器には、円筒状の本体ベースに判断手段を搭載したプリント基板が設置され、プリント基板に温度検出手段および煙検出手段が設置されている。温度検出手段はサーミスタ等の感熱素子であって、その先端において温度を検出する。煙検出手段は、暗室内に配置された発光素子および受光素子であって、煙粒子による光の散乱の有無ないし程度を検出する。そして、暗室はプリント基板に設置され、通風自在かつ遮光可能なラビリンス体によって包囲されている。
さらに、プリント基板は、暗室が突出するための開口部およびサーミスタが貫通する貫通孔が形成された保護カバー内に収納され、暗室およびサーミスタの保護カバーから突出する範囲は、保護具によってプロテクトされている（例えば、特許文献１参照）。
【０００４】
【特許文献１】特開平０９−０９１５５９号公報（第３−４頁，図１）
【発明の開示】
【発明が解決しようとする課題】
【０００５】
しかしながら、特許文献１に開示された発明は、表示灯（たとえば、チップＬＥＤ）をプリント基板に設置した場合、仮に保護カバーに視認用窓を設けたとしても、表示灯と保護カバーとの結ぶ直線上にある特定の方向に限って表示灯の光を視認することができるだけで、かかる方向を外れると視認することができないため、利便性に欠けると共に、部品点数の増加や構造の複雑化によって製造コストが上昇するという問題があった。
一方、表示灯をプリント基板から嵩上げして（離して）保護カバーに形成した貫通孔から、その一部を突出するようにしたとしても、保護カバーから突出する暗室によって遮られ、視認可能な方向が限定されるため、利便性に欠けるという問題があった。
【０００６】
本発明のかかる問題を解決するものであって、簡素な構造でありながら表示灯の発する光を広い方向から視認することができる熱煙複合型火災感知器を提供することを目的とする。
【課題を解決するための手段】
【０００７】
（１）この出願は、本体ベースと、該本体ベースに設置されたプリント基板と、該プリント基板に立設された感熱素子と、前記プリント基板に設置され、外光を遮断して煙粒子を流入する暗箱と、前記プリント基板に設置された表示灯と、前記感熱素子および前記暗箱が貫通する各開口部を具備し、前記本体ベースに接合される保護カバーと、前記表示灯の発する光を前記保護カバーの外部に案内するライトガイドと、を有し、
前記ライトガイドは棒状部分のみから形成され、前記保護カバーに形成された貫通孔を貫通して、該貫通孔内に設置されると共に、その一方の端面が前記表示灯に対峙し、その他方の端面が前記暗箱の突出高さと略同等またはそれ以上の高さで前記保護カバー外部に突出し、さらに、前記ライトガイドは、前記暗箱を挟んで前記感熱素子と対向配置されていることを特徴とする。
【０００８】
（２）前記（１）において、前記保護カバーが、前記暗箱が貫通するための開口部を中央に形成するカバー周面部と、前記開口部を覆うように前記カバー周面部から所定の距離だけ突出して配置されたカバー天面部と、該カバー天面部と前記カバー周面部とを連結する複数の脚部と、を具備し、前記ライトガイドの他方の端面の前記カバー周面部からの突出量が、前記カバー天面部と略同一であることを特徴とする。
【０００９】
（３）前記（２）において、前記複数の脚部のうちの１の脚部は、前記貫通孔に連通して前記カバー周面部の上面に形成されて、前記ライトガイドが貫通する筒部を備えたことを特徴とする。
（４）前記（１）において、前記ライトガイドの端面に、略回転楕円状の凹部が形成されていることを特徴とする。
（５）前記（１）において、前記ライトガイドの一方の端面に近い側面には対向した一対の略矩形状のリブが形成されていることを特徴とする。
【発明の効果】
【００１０】
（ｉ）本発明に係る熱煙複合型火災感知器は、保護カバーを貫通する棒状のライトガイドを有し、一方の端面がプリント基板に設置された表示灯に対峙し、その他方の端面が暗箱の突出高さと略同等またはそれ以上の高さで保護カバー外部に突出するから、簡素な構造でありながら、天井面に設置されたときに、暗箱によって視認性を阻害されることがなく、全方向から表示灯が発する光を視認することができる。また、ライトガイドが暗箱を挟んで感熱素子と対向配置、すなわち、ライトガイドと最遠の位置にあるので、感熱素子によって視認性が阻害されることもない。
（ｉｉ）また、ライトガイドの他方の端面が、保護カバーを構成するカバー天面部と略同一面に位置しているから、表示灯の発光を全方向から視認することができる。また、ライトガイドがカバー天面部の高さと略同一高さであるため、カバー周面部の上面に沿って流れてきた空気は、ライトガイドによって邪魔されることがなく、そのままカバー天面部の上面に沿って流れて、暗箱を挟んで対向する感熱素子にまで確実に流れるから、感熱素子による熱気流の捕捉に影響を与えない。
【００１１】
（ｉｉｉ）また、ライトガイドが、脚部に形成された筒部によって保護されるから、異物の衝突等による損傷が防止される。そして、ライトガイドは暗箱の側方近傍に配置されることになり、物などがぶつかりにくい配置関係となる。
【発明を実施するための最良の形態】
【００１２】
[実施の形態：熱煙複合型火災感知器]
以下、本発明の実施の形態に係る熱煙複合型火災感知器を図面を参照しながら説明する。なお、各図において同じ部分には同じ符号を付し、一部の説明を省略する。
図１〜図９は本発明の実施の形態に係る熱煙複合型火災感知器を説明するものであって、図１は全体を示す斜視図、図２の（ａ）は全体を示す平面図、図２の（ｂ）は部分を示す拡大平面図、図３は全体を示す側面図、図４は全体を示す正面図、図５は全体を示す側面視の断面図、図６は図５の一部を拡大した拡大断面図、図７は部位に分けて示す側面視の断面図、図８は全体を示す略側面視の断面図、図９は一部を拡大して示す平面視の拡大断面図である。
【００１３】
図１〜図９において、熱煙複合型火災感知器（以下「火災感知器」と略称する）１００は、本体ベース１０と、本体ベース１０に設置されたプリント基板１と、プリント基板１に立設された感熱素子２と、プリント基板１に立設された発光素子および受光素子（図示しない）と、発光素子および受光素子を収容し、通風自在かつ遮光自在な暗箱３と、プリント基板１に設置された表示灯４と、保護カバー３０と、表示灯４の発する光を保護カバー３０の外部に案内する棒状のライトガイド５と、を有している（図５参照）。
なお、火災感知器１００は本体ベース１０が取付ベース（図示しない）を介して屋内の天井等に設置されるものであるが、説明の便宜上、以下の各図では、本体ベース１０を下側に、保護カバー３０を上側に記載している。
【００１４】
（本体ベース）
本体ベース１０は、円板状の本体底部１１と、本体底部１１の外周に立設された円筒状の本体筒部１２と、本体底部１１に立設された基板支持部１３とを、有している。
プリント基板１は、感熱素子２の検出結果や発光素子および受光素子の検出結果に基づいて、火災の発生を判断する判断機能や、該判断結果を報知する報知機能や、感熱素子２と発光素子および受光素子とが正常に作動していることを報知する作動点検機能等を奏する回路および電子部品を有するものである。そして、感熱素子２と、発光素子および受光素子（図示しない）と、表示灯４とが直接設置されている（図７の（ｂ）参照）。
感熱素子２は、空気温度を検出するものであって、先端部において熱を検出する棒状のサーミスタであり、暗箱３の側方で立設してプリント基板１に取り付けられる（以下、感熱素子２を「サーミスタ２」と称す）。
【００１５】
（暗箱）
暗箱３は、内部に所定の間隔を設けて配置された発光素子および受光素子（図示しない）を収容するものである。すなわち、発光素子と受光素子との間に進入した煙粒子を検出するために、外光を遮断して煙粒子のみを流入自在にするものである。すなわち、プリント基板１に設置されて、上面を開口する略円筒状の光学台３ａと、光学台３ａの上面を閉塞する略円板状の光学台カバー３ｂとを有し、光学台３ａは遮光自在かつ通気自在なように、多数の遮光リブを周部に配列した円筒状のラビリンス体によって形成されている。また、光学台３ａの周りには防虫網（図示せず）が設置される。
また、受光素子は、発光素子から発せられた光が煙粒子によって散乱された際の散乱光を検出するものであり、かかる検出結果に基づいて、プリント基板１が、煙粒子の存在、すなわち火災発生の有無を判断することになる。なお、本発明は、暗箱３や煙粒子の検出手段を限定するものではない。
【００１６】
（表示灯）
表示灯４はプリント基板１に固定され、暗箱３を挟んでサーミスタ２と対向して位置している。そして、表示灯４の直上には保護カバー３０に設置されたライトガイド５の下端面が、近接して対峙している（これについては、別途詳細に説明する）。
【００１７】
（ライトガイド）
ライトガイド５は、光透過材によって形成された棒状であって、表示灯４の発する光を保護カバー３０外部に案内する。ライトガイド５は、略円柱状の柱部５ｃの一方の端面寄りの側面に対峙する一対のリブ５ｄが形成され、一方および他方の両端面には略回転楕円状の凹部（凹レンズを形成する）５ａ、５ｂが形成されている（これについては、別途詳細に説明する）。
【００１８】
（保護カバー）
保護カバー３０は、略円環状のカバー周面部３１と、略円板状のカバー天面部３９と、カバー周面部３１とカバー天面部３９とを連結するするカバー脚部４０とを有している。
カバー周面部３１は、本体ベース１０の本体筒部１２の先端に嵌合する外周縁を有している。また、カバー周面部３１は、暗箱３が貫通して内側に配置される略円形状の暗箱貫通孔（暗箱用開口部）３３が中央に形成され、さらに、暗箱貫通孔３３の周囲には、サーミスタ２が貫通する略円形状のサーミスタ貫通孔（サーミスタ用開口部）３２と、ライトガイド５が貫通する略円形状のライトガイド貫通孔３５と、が形成されている（図７の（ａ）参照）。
【００１９】
このとき、サーミスタ貫通孔３２とライトガイド貫通孔３５とは、中央に形成された暗箱貫通孔３３を挟んで対向している。
また、カバー周面部３１の下面には、本体底部１１に固定するためのネジ止め用ボス３４が形成され、本体底部１１（本体筒部１２）に形成されたネジ止め孔１４を貫通する固定用ネジ６が、ネジ止め用ボス３４に形成された雌ネジに螺合している（図８参照）。これによって、保護カバー３０と本体ベース１０とが係合（接合）して、火災感知器１００の筐体を構成している。
【００２０】
カバー天面部３９は、カバー周面部３１の上方に所定の距離を設けて突出し、平面視において暗箱貫通孔３３を覆うように配置されて、暗箱３の上面を覆う。そして、カバー天面部３９の外周縁と暗箱貫通孔３３の内周縁との間には、煙流入口としての略円筒状の開口部３８が形成されることになり、開口部３８を通過して、煙（空気を含む）が暗箱３内に流入することになる。
【００２１】
カバー脚部４０は略三角形状の板材であって、その頂点がカバー天面部３９の外周縁に、その底辺がカバー周面部３１の上面に接合され、暗箱３の中心（暗箱貫通孔３３の中心に同じ）に対して放射状に配置されている。なお、カバー周面部３１とカバー天面部３９とカバー脚部４０とは一体的に成形されている。
そして、カバー脚部４０に挟まれて、ライトガイド５を保護するための形態であるライトガイド保護脚５０と、ライトガイド保護脚５０と対向して位置してサーミスタ２を保護するための形態であるサーミスタプロテクタ（感熱素子プロテクタ）２０と、が設置されている。図中、カバー脚部４０とライトガイド保護脚５０とサーミスタプロテクタ２０とは、略同一円周上で、等角（６０°間隔）に配置されている（これらについては、別途詳細に説明する）。なお、ライトガイド保護脚５０、およびサーミスタプロテクタ２０は、カバー脚部４０として機能する。
【００２２】
（サーミスタプロテクタ）
サーミスタプロテクタ（以下「プロテクタ」と略称する）２０は、平面視において、保護カバー３０の径方向（図２においてＡ−Ａ線方向）に対して、サーミスタ２（サーミスタ貫通孔３２）を挟んで、対称的に両側に配置された一対のアーチ状部材２０ａ、２０ｂによって構成され、アーチ状部材２０ａ、２０ｂによってサーミスタ２が囲まれている。以下、共通する内容については、その一方について説明し、このとき、符号の添え字「ａ、ｂ」の記載を省略する。
アーチ状部材２０ａ、２０ｂは、カバー周面部３１とカバー天面部３９に跨って一体的に形成されたものであって、カバー周面部３１のサーミスタ貫通孔３２の外周側から立設された略平板状の長脚部２１ａ、２１ｂと、カバー天面部３９の周縁から立設された略平板状の短脚部２９ａ、２９ｂと、長脚部２１ａ、２１ｂの先端と短脚部２９ａ、２９ｂの先端とを、それぞれ連結する略平板棒状の端部水平部２８ａ、２８ｂと、サーミスタ貫通孔３２の両側でカバー周面部３１に立設された略平板矩形状の基部水平部２２ａ、２２ｂと、を有している。基部水平部２２ａ、２２ｂは、長脚部２１ａ、２１ｂの内側からカバー周面部３１の内周縁に亘って設けられている。
【００２３】
端部水平部２８ａ、２８ｂは、平面視において、サーミスタ２への空気流れを阻害しない程度に離れて、保護カバー３０の径方向と平行に配置され、また、側面視において、サーミスタ２よりも突出した高さで配置されている。
長脚部２１ａ、２１ｂは、平面視において、保護カバー３０の径を挟んで（両側で）、サーミスタ２に近いほど互いに近づくようにハ字状に配置されている。一方、短脚部２９ａ、２９ｂは、平面視において、保護カバー３０の径を挟んで、サーミスタ２に近いほど互いに近づくようにハ字状に配置されている（図２、図９参照）。つまり、長脚部２１ａ、２１ｂおよび短脚部２９ａ、２９ｂは、サーミスタ２に対して放射状に配置されている。
【００２４】
そして、図２の（ｂ）において、短脚部２９ａと短脚部２９ｂのカバー天面部３９の中心に最も近い位置（図中、それぞれ「ハ」にて示す）同士の距離Ｗ２９が、長脚部２１ａと長脚部２１ｂのカバー天面部３９の中心から最も遠い位置（図中、それぞれ「イ」にて示す）同士の距離Ｗ２１より、大きくなっている。したがって、互いに平行に配置された端部水平部２８ａと端部水平部２８ｂとの間隔を距離Ｗ２８とすると、これらの距離には以下の関係がある。
Ｗ２９＞Ｗ２８・・・・・式１
Ｗ２１＞Ｗ２８・・・・・式２
Ｗ２９＞Ｗ２１・・・・・式３
【００２５】
さらに、基部水平部２２ａ、２２ｂは、平面視において、それぞれ端部水平部２８ａ、２８ｂに略平行であって、側面視において、カバー天面部３９と所定の隙間２６ａ、２６ｂを形成している。したがって、側面視において、基部水平部２２ａ、２２ｂの上縁と、長脚部２１ａ、２１ｂの暗箱３の中心に近い方の縁と、端部水平部２８ａ、２８ｂの下縁と、短脚部２９ａ、２９ｂの暗箱３の中心から遠い方の縁と、によって、隙間２６ａ、２６ｂを有する略矩形状の空間２７ａ、２７ｂが形成されている。
【００２６】
ここで、サーミスタ２の先端は、図３に示すように、側面視において、暗箱３の側方で、カバー天面部３９よりも突出した高さに設けられている。すなわち、暗箱３の陰に隠れていないから、カバー天面部３９の外面に沿って流れてくる空気の流れ（図２（ａ）の上方向からの気流）に対して、サーミスタ２の先端は、直接晒されるので、低感度な暗箱３を挟んだ方向からの熱気流を効果的に捕捉することができるので、その方向の空気温度を良好に検出することができる。このとき、一対の短脚部２９ａ、２９ｂが平面視においてカバー天面部３９の中心側に広がったハ字状を呈するから、カバー天面部３９の外面に沿って流れてくる空気の流れは一対の短脚部２９ａ、２９ｂによって集められ、効果的にサーミスタ２に向かって流れる。
【００２７】
つまり、図２（ａ）の上方向からの気流に対しては、一対の短脚部２９ａ、２９ｂが、サーミスタ２に向けて間隔が狭くなるようなハ字状（放射状）に形成されていることによって、サーミスタ２に気流を効果的に集めることができ、これと同様に、図２（ａ）の下方向からの気流に対しては一対の長脚部２１ａ、２１ｂが、図２（ａ）の左方向からの気流に対しては短脚部２９ａと長脚部２１ａとが、また、図２（ａ）の右方向からの気流に対しては短脚部２９ｂと長脚部２１ｂとが、サーミスタ２に向けて間隔が狭くなるようなハ字状（放射状）にそれぞれ形成されていることによって、サーミスタ２に気流を効果的に集めることができる。
そして、短脚部２９ａ、２９ｂ同士の開き度合い（距離Ｗ２９）が長脚部２１ａ、２１ｂ同士の開き度合い（距離Ｗ２１）よりも大きいから、低感度な暗箱３を挟んだ方向からの熱気流をより捕捉することができ、サーミスタ２の全周方向の感度特性を均一化することができる。
【００２８】
そして、サーミスタ２の先端は、側面視において、端部水平部２８ａ、２８ｂの下縁に近い位置にあって、空間２７ａ、２７ｂを通して視認することができる。すなわち、側面視の方向（図２の（ａ）において左右方向）からカバー周面部３１の外面に沿って流れて来た空気（煙を含む）は、基部水平部２２ａ、２２ｂに衝突して下降気流となって、空間２７ａ、２７ｂを通過してサーミスタ２の先端に到達することになるから、側面視においてサーミスタ２をカバー天面部３９よりも突出した高さとしても、効果的にサーミスタ２の先端に向かって流れるので、当該空気の温度を良好に検出することができる（図３、図５、図７参照）。ここで、基部水平部２２ａ、２２ｂの設置による煙検出への影響を最小に抑えるために、側面視において、基部水平部２２ａ、２２ｂとカバー天面部３９との間に、煙流入用の隙間２６ａ、２６ｂを形成している。
なお、図２（ａ）の下方向からの空気（煙を含む）は、カバー周面部３１の外面に沿って流れてから暗箱３内に流入するので、良好に煙を検出することができ、さらに引き続いて、この空気が暗箱３の側面上を下降して、サーミスタ２の先端に到達することになるから、この方向に対しては基部水平部を設けなくても、当該空気の温度を良好に検出することができる。つまり、基部水平部２２ａ、２２ｂの設置による煙検出への影響を最小に抑えるために、基部水平部２２ａ、２２ｂはサーミスタ貫通孔３２の両側のみとしている。
また、直下からの気流に対しては、サーミスタ２の先端が、平面視において端部水平部２８ａ、２８ｂ同士の間に位置することによって、サーミスタ２に向かって略垂直に流れて来た（上昇した）空気は、そのままサーミスタ２に衝突するので、直下からの空気温度を良好に検出することができる。
なお、アーチ状部材２０ａ、２０ｂは前記のように、サーミスタ２に異物等が衝突することを防止するプロテクタとして機能するのは勿論、空気流れを阻害しないで、これを効果的に誘導して検出を促進させる機能と共に、カバー周面部３１とカバー天面部３９とを連結する脚として、しかも、一対の堅固な脚として機能しているから、カバー天面部３９の変形や損傷を抑えている。
【００２９】
（ライトガイド保護脚）
ライトガイド保護脚５０は、ライトガイド貫通孔３５に連通してカバー周面部３１の上面に形成された円筒状の保護脚筒部５０ａと、保護脚筒部５０ａの上端とカバー天面部３９とを連結する保護脚連結部５０ｂと、ライトガイド貫通孔３５に連通してカバー周面部３１の下面に形成されたリブ陥入部５０ｄと、を有している（図６、図７参照）。なお、ライトガイド貫通孔３５についても、ライトガイド保護脚５０として機能する。
そして、ライトガイド５は、カバー周面部３１の下面側からライトガイド貫通孔３５内に挿入され、保護脚筒部５０ａを貫通している。このとき、ライトガイド５の側面に形成されたリブ５ｄがリブ陥入部５０ｄに進入（陥入に同じ）して係止しているから、ライトガイド５の高さは正確であって、ライトガイド５の上端はカバー天面部３９の上面と略同じ高さに位置している。
したがって、天井面に設置されたときに、暗箱３によって視認性を阻害されることがなく、広い範囲（３６０°）から表示灯４の発する光を視認することができる。また、ライトガイド５は、暗箱３を挟んでサーミスタ２と対向配置され、サーミスタ２と最遠の位置関係にあるため、サーミスタ２によって視認性が阻害されることもない。なお、ライトガイド５の上端をカバー天面部３９の上面よりも突出した高さとしてもよい。また、保護カバー３０として、暗箱３を保護しない構成、つまり、カバー天面部３９およびカバー脚部４０を削除してカバー周面部３１のみで構成する場合は、ライトガイド５の上端は、暗箱３の上面と略同じ高さ、または暗箱３の上面よりも突出した高さとすればよい。
【００３０】
また、ライトガイド５は、ライトガイド保護脚５０に形成された保護脚筒部５０ａによって保護されるから、異物の衝突等による損傷が防止される。また、ライトガイド５は暗箱３の側方近傍に配置されることになり、物などがぶつかりにくい配置関係となる。
そして、保護脚連結部５０ｂは保護脚筒部５０ａに比較して細く形成され、保護脚筒部５０ａは、ライトガイド５を異物の衝突等から保護するために必要な最低高さに抑えられており、カバー周面部３１からの突出量がカバー天面部３９よりも小さい。したがって、カバー周面部３１の上面に沿って流れて来た空気（煙を含む）は、ライトガイド５、保護脚筒部５０ａおよび保護脚連結部５０ｂによって邪魔されることが最少に防止され、暗箱３内に流入することができる。
また、ライトガイド５がカバー天面部３９の高さと略同じ高さなので、このカバー周面部３１の上面に沿って流れてきた空気は、ライトガイド５によって邪魔されることなく、カバー天面部３９の上面に沿って流れて、暗箱３を挟んで対向するサーミスタ２まで確実に流れるので、サーミスタ２による熱気流の捕捉に影響を与えない。
さらに、ライトガイド保護脚５０は、ライトガイド５の損傷を防止する機能と共に、カバー周面部３１とカバー天面部３９とを連結するカバー脚部４０として機能し、しかも、保護脚筒部５０ａを具備する堅固な脚として機能しているから、カバー天面部３９の変形や損傷を抑えている。
【００３１】
（ライトガイドの設置形態）
図１０〜図１２は本発明の実施の形態に係る熱煙複合型火災感知器におけるライトガイドの設置形態を説明するためのものであって、図１０はライトガイドの一実施例を示す三面図、図１１はカバー周面部を示す背面図、図１２はライトガイドの設置形態を示す斜視図である。
図１０において、ライトガイド５は透光性を具備する樹脂（たとえば、アクリル）を射出成形したものであって、略円柱状の柱部５ｃを光が導かれるものである。そして、柱部５ｃの保護カバー３０から下方に突出する方の下端面（表示灯４に対峙する端面に同じ）には、集光性を助長する略回転楕円状の凹部５ａが形成され、保護カバー３０から上方に突出する方の上端面には、散光性を助長する略回転楕円状の凹部５ｂが形成され、下端面に近い側面には対向した一対の略矩形状のリブ５ｄ、５ｄが形成されている。
ライトガイドの両端面に凹部５ａ、５ｂが形成されているから、一方の端面（凹部５ａ）から表示灯４の発する光を効果的に受け入れると共に、他方の端面（凹部５ｂ）からかかる光を広い範囲に放射することができるため、高輝度であって、広い方向からの視認性に富んでいる。
なお、リブ５ｄ、５ｄのリブ下端面５ｅ、５ｅは、射出成形後に金型から抜き出すためのエジェクターピンが当接する位置になり、リブ５ｄ、５ｄのリブ側面５ｆ、５ｆには、射出成形の際の注入ゲートが設けられる。したがって、光が導かれる円柱状部分（柱部５ｃ）は健全に保たれ、側面からの不要な光の散逸が防止されている。
【００３２】
図１１において、カバー周面部３１の下面にはライトガイド貫通孔３５を囲むように一対の略円弧状のライトガイド固定部５０ｃ、５０ｃが形成され、ライトガイド固定部５０ｃ、５０ｃの両端同士の隙間がリブ陥入部５０ｄを形成している。
図１２（ａ）において、ライトガイド貫通孔３５にライトガイド５の柱部５ｃが挿入され、リブ陥入部５０ｄにリブ５ｄ、５ｄが圧入される直前の様子を示す。なお、図１２の（ｂ）に部分拡大図を示す。図中、矢印は圧入方向を示している。
【産業上の利用可能性】
【００３３】
以上のように、本発明に係る熱煙複合型火災感知器は、簡素な構造でありながら表示灯の発する光を広い方向から視認することができるから、様々な場所に設置される各種熱煙複合型火災感知器として広く利用することができる。
【図面の簡単な説明】
【００３４】
【図１】本発明の実施の形態に係る熱煙複合型火災感知器を説明する全体斜視図。
【図２】図１に示す熱煙複合型火災感知器を説明する全体を示す平面図および部分を示す拡大平面図。
【図３】図１に示す熱煙複合型火災感知器を説明する全体を示す側面図。
【図４】図１に示す熱煙複合型火災感知器を説明する全体を示す正面図。
【図５】図１に示す熱煙複合型火災感知器を説明する全体を示す側面視の断面図。
【図６】図５に示す熱煙複合型火災感知器の一部を拡大した拡大断面図。
【図７】図１に示す熱煙複合型火災感知器の部位に分けて示す側面視の断面図。
【図８】図１に示す熱煙複合型火災感知器を説明する全体を示す略側面視の断面図。
【図９】図１に示す熱煙複合型火災感知器の一部を拡大して示す平面視の断面図。
【図１０】図１に示す熱煙複合型火災感知器のライトガイドの実施例を示す三面図。
【図１１】図１に示す熱煙複合型火災感知器のカバー周面部を示す背面図。
【図１２】図１に示す熱煙複合型火災感知器のライトガイドの設置形態を示す斜視図。
【符号の説明】
【００３５】
１   プリント基板
２   サーミスタ（感熱素子）
３   暗箱
３ａ 光学台
３ｂ 光学台カバー
４   表示灯
５   ライトガイド
５ａ 凹部
５ｂ 凹部
５ｃ 柱部
５ｄ リブ
５ｅ リブ下端面
５ｆ リブ側面
６   固定用ネジ
１０   本体ベース
１１   本体底部
１２   本体筒部
１３   基板支持部
１４   ネジ止め孔
２０   プロテクタ（感熱素子プロテクタ）
２０ａ アーチ状部材
２１ａ 長脚部
２２ａ 基部水平部
２６ａ 隙間
２７ａ 空間
２８ａ 端部水平部
２９ａ 短脚部
３０   保護カバー
３１   カバー周面部
３２   サーミスタ貫通孔（感熱素子貫通孔）
３３   暗箱貫通孔
３４   ネジ止め用ボス
３５   ライトガイド貫通孔
３８   開口部
３９   カバー天面部
４０   カバー脚部
５０   ライトガイド保護脚
５０ａ 保護脚筒部
５０ｂ 保護脚連結部
５０ｃ ライトガイド固定部
５０ｄ リブ陥入部
１００  火災感知器
【図１】
0004772076.tif 000002
【図２】
0004772076.tif 000003
【図３】
0004772076.tif 000004
【図４】
0004772076.tif 000005
【図５】
0004772076.tif 000006
【図６】
0004772076.tif 000007
【図７】
0004772076.tif 000008
【図８】
0004772076.tif 000009
【図９】
0004772076.tif 000010
【図１０】
0004772076.tif 000011
【図１１】
0004772076.tif 000012
【図１２】
0004772076.tif 000013